(57)【要約】【課題】音声と映像とが別個のコンテンツとして入力された場合に適切な処理を行うことができない【解決手段】ＡＶ装置と、モバイルオーディオ装置とからなるモバイルオーディオシステムを提供する。ＡＶ装置は、モバイルオーディオ装置から音声信号を取得する音声信号取得部と、モバイルオーディオ装置からデータ信号を取得するデータ信号取得部と、を有し、モバイルオーディオ装置は、ＡＶ装置に対して音声信号を出力する音声信号出力部と、ＡＶ装置に対してデータ信号を出力するデータ信号出力部と、を有する。かかる構成により、モバイルオーディオ装置から音声信号と、データ信号とがＡＶ装置に対して出力され、ＡＶ装置では、データ信号に応じた処理が行われることになる。【選択図】図２
2007158473.tif 000002
【特許請求の範囲】
【請求項１】
ＡＶ装置と、モバイルオーディオ装置とからなるモバイルオーディオシステムであって、
ＡＶ装置は、
モバイルオーディオ装置から音声信号を取得する音声信号取得部と、
モバイルオーディオ装置からデータ信号を取得するデータ信号取得部と、
を有し、
モバイルオーディオ装置は、
ＡＶ装置に対して音声信号を出力する音声信号出力部と、
ＡＶ装置に対してデータ信号を出力するデータ信号出力部と、
を有するモバイルオーディオシステム。
【請求項２】
モバイルオーディオ装置は、
モバイルコンテンツ情報を取得するモバイルコンテンツ情報取得部と、
取得したモバイルコンテンツ情報を前記音声信号出力部から出力される音声信号と、前記データ信号出力部から出力されるデータ信号とに分離する分離部と、
を有する請求項１に記載のモバイルオーディオシステム。
【請求項３】
前記分離部は、モバイルコンテンツ情報からデータ信号としてモバイル画像信号を取得するためのモバイル画像信号取得手段を有する請求項２に記載のモバイルオーディオシステム。
【請求項４】
ＡＶ装置は、
ＡＶコンテンツ情報を取得するためのＡＶコンテンツ情報取得部と、
コンテンツを出力するためのディスプレイと、を有し、
ＡＶ装置のデータ信号取得部は、前記モバイル画像信号取得手段が取得したモバイル画像信号に基づいてディスプレイにＡＶコンテンツの全部又は一部とともにモバイル画像を出力するためのモバイル画像出力手段を有する請求項３に記載のモバイルオーディオシステム。
【請求項５】
前記分離部は、モバイルコンテンツ情報からデータ信号としてモバイルテキスト情報を取得するためのモバイルテキスト情報取得手段を有する請求項２に記載のモバイルオーディオシステム。
【請求項６】
ＡＶ装置は、
ＡＶコンテンツ情報を取得するためのＡＶコンテンツ情報取得部と、
コンテンツを出力するためのディスプレイと、を有し、
ＡＶ装置のデータ信号取得部は、前記モバイルテキスト情報取得手段が取得したモバイルテキスト情報に基づいてディスプレイにＡＶコンテンツの全部又は一部とともにモバイルテキスト文字列を出力するためのモバイルテキスト文字列出力手段を有する請求項５に記載のモバイルオーディオシステム。
【請求項７】
前記分離部は、モバイルコンテンツ情報からデータ信号としてモバイルプログラム情報を取得するためのモバイルプログラム情報取得手段を有する請求項２に記載のモバイルオーディオシステム。
【請求項８】
ＡＶ装置は、
ＡＶコンテンツ情報を取得するためのＡＶコンテンツ情報取得部と、
コンテンツを出力するためのディスプレイと、を有し、
ＡＶ装置のデータ信号取得部は、前記モバイルプログラム情報取得手段が取得したモバイルプログラム情報に基づくプログラムをＡＶコンテンツの全部又は一部とともに実行するための実行手段を有する請求項７に記載のモバイルオーディオシステム。
【請求項９】
ＡＶ装置のデータ信号取得部は、データ信号として制御信号を取得する制御信号取得手段を有するとともに、
ＡＶ装置は、取得した制御信号に基づいて制御するための制御部を有する請求項１から８のいずれか一に記載のモバイルオーディオシステム。
【請求項１０】
前記制御部は、取得した制御信号に基づいて省エネ制御をするための省エネ制御手段を有する請求項９に記載のモバイルオーディオシステム。
【請求項１１】
ＡＶ装置は、音声信号取得部が取得した音声信号又は／及びデータ信号取得部が取得したデータ信号を蓄積する蓄積部をさらに有する請求項１から１０のいずれか一に記載のモバイルオーディオシステム。
【請求項１２】
モバイルオーディオ装置から音声信号を取得する音声信号取得部と、
モバイルオーディオ装置からデータ信号を取得するデータ信号取得部と、
を有するＡＶ装置。
【請求項１３】
ＡＶコンテンツ情報を取得するためのＡＶコンテンツ情報取得部と、
コンテンツを出力するためのディスプレイと、を有し、
前記データ信号取得部は、モバイルオーディオ装置のモバイル画像信号取得手段が取得したモバイル画像信号に基づいてディスプレイにＡＶコンテンツの全部又は一部とともにモバイル画像を出力するためのモバイル画像出力手段を有する請求項１２に記載のＡＶ装置。
【請求項１４】
ＡＶコンテンツ情報を取得するためのＡＶコンテンツ情報取得部と、
コンテンツを出力するためのディスプレイと、を有し、
前記データ信号取得部は、モバイルオーディオ装置のモバイルテキスト情報取得手段が取得したモバイルテキスト情報に基づいてディスプレイにＡＶコンテンツの全部又は一部とともにモバイルテキスト文字列を出力するためのモバイルテキスト文字列出力手段を有する請求項１２に記載のＡＶ装置。
【請求項１５】
ＡＶコンテンツ情報を取得するためのＡＶコンテンツ情報取得部と、
コンテンツを出力するためのディスプレイを有し、
前記データ信号取得部は、モバイルオーディオ装置のモバイルプログラム情報取得手段が取得したモバイルプログラム情報に基づくプログラムをＡＶコンテンツの全部又は一部とともに実行するための実行手段を有する請求項１２に記載のＡＶ装置。
【請求項１６】
前記データ信号取得部は、データ信号として制御信号を取得する制御信号取得手段を有するとともに、
取得した制御信号に基づいて制御するための制御部を有する請求項１２から１５のいずれか一に記載のＡＶ装置。
【請求項１７】
前記制御部は、取得した制御信号に基づいて省エネ制御をするための省エネ制御手段を有する請求項１６に記載のＡＶ装置。
【請求項１８】
音声信号取得部が取得した音声信号又は／及びデータ信号取得部が取得したデータ信号を蓄積する蓄積部をさらに有する請求項１２から１７のいずれか一に記載のＡＶ装置。
【請求項１９】
ＡＶ装置に対して音声信号を出力する音声信号出力部と、
ＡＶ装置に対してデータ信号を出力するデータ信号出力部と、
を有するモバイルオーディオ装置。
【請求項２０】
モバイルコンテンツ情報を取得するモバイルコンテンツ情報取得部と、
取得したモバイルコンテンツ情報を前記音声信号出力部から出力される音声信号と、前記データ信号出力部から出力されるデータ信号とに分離する分離部と、
を有する請求項１９に記載のモバイルオーディオ装置。
【請求項２１】
前記分離部は、モバイルコンテンツ情報からデータ信号としてモバイル画像信号を取得するためのモバイル画像信号取得手段を有する請求項２０に記載のモバイルオーディオ装置。
【請求項２２】
前記分離部は、モバイルコンテンツ情報からデータ信号としてモバイルテキスト情報を取得するためのモバイルテキスト情報取得手段を有する請求項２０に記載のモバイルオーディオ装置。
【請求項２３】
前記分離部は、モバイルコンテンツ情報からデータ信号としてモバイルプログラム情報を取得するためのモバイルプログラム情報取得手段を有する請求項２０に記載のモバイルオーディオ装置。
【請求項２４】
ＡＶ装置と、モバイルオーディオ装置とからなるモバイルオーディオシステムの動作方法であって、
ＡＶ装置は、
モバイルオーディオ装置から音声信号を取得する音声信号取得ステップと、
モバイルオーディオ装置からデータ信号を取得するデータ信号取得ステップと、
を有し、
モバイルオーディオ装置は、
ＡＶ装置に対して音声信号を出力する音声信号出力ステップと、
ＡＶ装置に対してデータ信号を出力するデータ信号出力ステップと、
を有するモバイルオーディオシステムの動作方法。
【請求項２５】
モバイルオーディオ装置は、
モバイルコンテンツ情報を取得するモバイルコンテンツ情報取得ステップと、
取得したモバイルコンテンツ情報を前記音声信号出力ステップにて出力される音声信号と、前記データ信号出力ステップにて出力されるデータ信号とに分離する分離ステップと、
を有する請求項２４に記載のモバイルオーディオシステムの動作方法。
【請求項２６】
前記分離ステップは、モバイルコンテンツ情報からデータ信号としてモバイル画像信号を取得するためのモバイル画像信号取得ステップを有する請求項２５に記載のモバイルオーディオシステムの動作方法。
【請求項２７】
ＡＶ装置は、
ＡＶコンテンツ情報を取得するためのＡＶコンテンツ情報取得ステップと、
コンテンツを出力するためのディスプレイと、を有し、
ＡＶ装置のデータ信号取得ステップは、前記モバイル画像信号取得ステップが取得したモバイル画像信号に基づいてディスプレイにＡＶコンテンツの全部又は一部とともにモバイル画像を出力するためのモバイル画像出力ステップを有する請求項２６に記載のモバイルオーディオシステムの動作方法。
【請求項２８】
前記分離ステップは、モバイルコンテンツ情報からデータ信号としてモバイルテキスト情報を取得するためのモバイルテキスト情報取得ステップを有する請求項２５に記載のモバイルオーディオシステムの動作方法。
【請求項２９】
ＡＶ装置は、
ＡＶコンテンツ情報を取得するためのＡＶコンテンツ情報取得ステップと、
コンテンツを出力するためのディスプレイと、を有し、
ＡＶ装置のデータ信号取得ステップは、前記モバイルテキスト情報取得ステップが取得したモバイルテキスト情報に基づいてディスプレイにＡＶコンテンツの全部又は一部とともにモバイルテキスト文字列を出力するためのモバイルテキスト文字列出力ステップを有する請求項２８に記載のモバイルオーディオシステムの動作方法。
【請求項３０】
前記分離ステップは、モバイルコンテンツ情報からデータ信号としてモバイルプログラム情報を取得するためのモバイルプログラム情報取得ステップを有する請求項２５に記載のモバイルオーディオシステムの動作方法。
【請求項３１】
ＡＶ装置は、
ＡＶコンテンツ情報を取得するためのＡＶコンテンツ情報取得ステップと、
コンテンツを出力するためのディスプレイと、を有し、
ＡＶ装置のデータ信号取得ステップは、前記モバイルプログラム情報取得ステップが取得したモバイルプログラム情報に基づくプログラムをＡＶコンテンツの全部又は一部とともに実行するための実行ステップを有する請求項３０に記載のモバイルオーディオシステムの動作方法。
【請求項３２】
ＡＶ装置のデータ信号取得ステップは、データ信号として制御信号を取得する制御信号取得ステップを有するとともに、
ＡＶ装置は、取得した制御信号に基づいて制御するための制御ステップを有する請求項２４から３１のいずれか一に記載のモバイルオーディオシステムの動作方法。
【請求項３３】
前記制御ステップは、取得した制御信号に基づいて省エネ制御をするための省エネ制御ステップを有する請求項３２に記載のモバイルオーディオシステムの動作方法。
【請求項３４】
ＡＶ装置は、音声信号取得ステップにて取得した音声信号又は／及びデータ信号取得ステップにて取得したデータ信号を蓄積する蓄積ステップをさらに有する請求項２４から３３のいずれか一に記載のモバイルオーディオシステムの動作方法。
【請求項３５】
ＡＶ装置と、モバイルオーディオ装置とからなるモバイルオーディオシステムであって、
ＡＶ装置は、
モバイルオーディオ装置からモバイルコンテンツ情報を取得するモバイルコンテンツ情報取得部と、
取得したモバイルコンテンツ情報から音声信号と、データ信号とを分離して取得する第二分離部と、
を有し、
モバイルオーディオ装置は、
モバイルコンテンツ情報を送信するモバイルコンテンツ情報送信部を有する、
モバイルオーディオシステム。
【発明の詳細な説明】
【技術分野】
【０００１】
本発明は、ＡＶ装置とモバイルオーディオ装置とからなるモバイルオーディオシステムに関する。さらに詳しくは、モバイルオーディオ装置からＡＶ装置に対してデータを出力可能なモバイルオーディオシステムに関する。また、モバイルオーディオシステムの動作方法及びモバイルオーディオシステムにおけるＡＶ装置並びにモバイルオーディオ装置に関する。
【背景技術】
【０００２】
現在、音楽の視聴スタイルが大幅に変化している。ユーザは、フラッシュメモリを用いたＭＰ３（ＭＰＥＧ  Ａｕｄｉｏ  Ｌａｙｅｒ−３）プレイヤーや、小型ハードディスクを用いたＨＤＤ（Ｈａｒｄ  Ｄｉｓｋ  Ｄｒｉｖｅ）プレイヤーなどに代表される各種の携帯型音楽プレイヤー（以下、「モバイルオーディオ」という）に圧縮した音楽ファイルを大量に保存して、その中から好みの曲を視聴している。このように多量の曲をモバイルオーディオに保存しておくことが可能となっているため、ユーザとしては、好みの曲を全てモバイルオーディオに保存することで、いつでもお気に入りの曲を聴くことが可能となっている。また、近年では、ラジオ番組の音声コンテンツなどをモバイルオーディオに保存することで、音楽のみならず音声コンテンツをもモバイルオーディオで鑑賞できるポッドキャスティングというサービスが行われている。さらには、モバイルオーディオに写真などの画像や映像などを記録することで、音声を聴くのみならず、静止画像や動画像を閲覧することも可能となっている。このようにモバイルオーディオはユーザコンテンツのアーカイブセンターとしてその地位を構築しつつある。
【０００３】
そして、モバイルオーディオに保存されている音楽を迫力ある音響で聴く場合には、テレビなどのＡＶ装置にモバイルオーディオを接続し、そのテレビのスピーカなどを利用して迫力ある音響で音楽を視聴する方法が考えられる。特にデジタル放送を受信可能な大型デジタルテレビでは、内部の音声処理回路をデジタルアンプ化し、大型の高性能スピーカに出力することで、迫力のある高音質な音声再生が可能となっている。また、近年デジタルテレビなどの画面表示能力が大幅に向上し、鮮明な画像を画面上に表示することが可能となっている。
【０００４】
そこで、モバイルオーディオに保存されている音楽や画像データを、テレビなどのＡＶ装置上にて視聴する新たな視聴方法が考えられる。特許文献１には、映像信号および音声信号を、デジタルインタフェースを介して外部へ出力可能な音声／映像データ記録再生装置等に関する技術についての発明が開示されている。
【特許文献１】再公表ＷＯ２００２／０３２１３０号公報
【発明の開示】
【発明が解決しようとする課題】
【０００５】
しかしながら、従来技術は、あくまで映像と音声とが一のコンテンツを形成している場合に関する技術であり、音声と画像のように異なるコンテンツが入力された場合には適切な処理を行うことができないという課題がある。
【０００６】
そこで、本発明は、かかる課題に鑑みてなされたものであり、モバイルオーディオ装置からＡＶ装置に対して音声信号とデータ信号とを出力し、これらの信号に応じた処理をＡＶ装置にて行うことで、ユーザビリティの向上を実現させたモバイルオーディオシステムを提供することを目的とする。
【課題を解決するための手段】
【０００７】
そこで、本発明においては、かかる課題を解決するために、ＡＶ装置と、モバイルオーディオ装置とからなるモバイルオーディオシステムを提供する。ＡＶ装置は、モバイルオーディオ装置から音声信号を取得する音声信号取得部と、モバイルオーディオ装置からデータ信号を取得するデータ信号取得部と、を有し、モバイルオーディオ装置は、ＡＶ装置に対して音声信号を出力する音声信号出力部と、ＡＶ装置に対してデータ信号を出力するデータ信号出力部と、を有する。かかる構成により、モバイルオーディオ装置から音声信号と、データ信号とがＡＶ装置に対して出力され、ＡＶ装置では、出力された信号に応じた処理が行われることになる。
【発明の効果】
【０００８】
本発明においては、モバイルオーディオ装置からＡＶ装置に対して音声信号の出力のみならず、データ信号をも出力し、ＡＶ装置にてそのデータの表示等を行うことにより、モバイルオーディオ装置からＡＶ装置に対して送られる音声と別個の画像などのコンテンツを、ＡＶ装置を用いて視聴することが可能になる。このため、ユーザの利便性が向上するとともに、斬新なコンテンツの視聴スタイルを提供することが可能となる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。実施形態１は、主に請求項１、１２、１９、２４について説明する。実施形態２は、主に請求項２、２０、２５について説明する。実施形態３は、主に請求項３、４、１３、２１、２６、２７について説明する。実施形態４は、主に請求項５、６、１４、２２、２８、２９について説明する。実施形態５は、主に請求項７、８、１５、２３、３０、３１について説明する。実施形態６は、主に請求項９、１０、１６、１７、３２、３３について説明する。実施形態７は、主に請求項１１、１８、３４について説明する。実施形態８は、主に請求項３５について説明する。
【００１１】
<<実施形態１>>
<実施形態１の概要>
本実施形態は、ＡＶ装置とモバイルオーディオ装置とからなるモバイルオーディオシステムに関するものである。モバイルオーディオ装置は、ＡＶ装置に対して音声信号とデータ信号とを出力する。このため、ＡＶ装置においては、モバイルオーディオ装置からの音声信号を取得することができるとともに、データ信号に基づいた各種コンテンツなどをユーザに提供することができる。図１は、本実施形態における概念の一例を示す図である。図１においては、ＡＶ装置である液晶テレビの前面には、ヘッドホン用の音声出力端子の隣に「モバイルオーディオ」と記載された外部音声信号入力端子が設けられている。そして、この外部音声信号入力端子に対して、モバイルオーディオ装置の「ヘッドホン」や、「ラインアウト」などの出力端子と接続しているケーブルのプラグを挿入すると、液晶テレビの音声出力が、モバイルオーディオ装置からの音声出力に切り換わる。また、液晶テレビの前面にはＵＳＢ（Ｕｎｉｖｅｒｓａｌ  Ｓｅｒｉａｌ  Ｂｕｓ）の入力端子があり、このＵＳＢ端子とモバイルオーディオ装置とを接続して、モバイルオーディオ装置に保存されている映像などのデータをＡＶ装置に対して出力することで液晶テレビからモバイルオーディオに対して映像などのコンテンツを提供することが可能となる。（もちろん、このほかにＵＳＢや、その他の接続規格を用いてモバイルオーディオ装置と、ＡＶ装置とを一本のケーブルで接続したり、無線規格を利用して接続する構成をとることも可能である。）
<実施形態１の構成>
図２に本実施形態における機能ブロックの一例を示す。図２に示す本実施形態における「モバイルオーディオシステム」（０２００）は、「ＡＶ装置」（０２１０）と、「モバイルオーディオ装置」（０２２０）と、からなる。ＡＶ装置（０２１０）は、「音声信号取得部」（０２１１）と、「データ信号取得部」（０２１２）と、を有する。モバイルオーディオ装置（０２２０）は、「音声信号出力部」（０２２１）と、「データ信号出力部」（０２２２）と、を有する。
【００１２】
本件発明の構成要素である各部は、ハードウェア、ソフトウエア、ハードウェアとソフトウエアの両者、のいずれかによって構成される。例えば、これらを実現する一例として、コンピュータを利用する場合には、ＣＰＵ、メモリ、バス、インターフェイス、周辺装置などから構成されるハードウェアと、これらのハードウェア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１３】
最初に、ＡＶ装置（０２１０）と、ＡＶ装置の各構成について説明する。「ＡＶ装置」（０２００）の具体例としては、液晶テレビやプラズマテレビなどの各種テレビ装置や、ホームシアターなどのコンポーネント装置、カーナビゲーション装置、カーオーディオ装置などが挙げられる。これらは通常ユーザの自宅に恒常的に設置してあったり、車載機器として移動体に組み込まれたりしているものであり、音声信号を大音量で出力することが可能であるため、かかるＡＶ装置に対してモバイルオーディオ装置を接続することで、モバイルオーディオ装置に保存されている音楽を迫力ある音響の環境で聴くことが可能となるからである。モバイルオーディオ装置については後述する。
【００１４】
「音声信号取得部」（０２１１）は、前記モバイルオーディオ装置から音声信号を取得する。音声信号とは、音声その他の音響を伝送するための電気的な変化のことである。モバイルオーディオ装置から取得する音声信号は、アナログの音声信号に限定されることが望ましい。デジタルの音声信号については、後述する「データ信号」の一例に含まれ、ＡＶ装置においては「音声信号」ではなく「データ信号」としてデジタル音声信号を取得することになるからである。音声信号取得部は、具体的には、外部音声信号入力端子やこれに付随する回路などから構成される。音声信号を取得するタイミングとしては、外部音声信号入力端子にモバイルオーディオ装置からのプラグが挿入されたことをトリガーとして音声信号を取得してもよいし、あるいは外部音声信号入力端子にプラグを挿入し、ＡＶ装置の入力モードの切換処理を行うことをトリガーとして音声信号を取得してもよい。このようにして取得された音声信号はＡＶ装置から出力される音声信号となる。
【００１５】
「データ信号取得部」（０２１２）は、モバイルオーディオ装置からデータ信号を取得する。「データ信号」とは、各種のデータを示す信号のことであり、デジタル信号であることが望ましい。モバイルオーディオ装置の記憶部であるハードディスクやフラッシュメモリなどに保持されている各種のデータは、デジタル信号によって構成されているデータであるからである。「データ」の具体例としては、映像データ、画像データ、音声データ、テキストデータ、プログラムデータ、制御データなど、各種のデータが挙げられる。データ信号取得部は、具体的にはデータ入力端子やこれに付随する回路などから構成される。データ入力端子とは、例えばＵＳＢ、ＬＡＮ（Ｌｏｃａｌ  Ａｒｅａ  Ｎｅｔｗｏｒｋ）、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子、コンポジット端子、セパレート映像端子、コンポーネント映像端子、Ｄ映像端子、光ケーブルなどの入力インターフェイスなどのことである。このように音声信号取得部と、データ信号取得部とが別個に構成されていることにより、ＡＶ装置では、音声信号に基づくコンテンツと、データ信号に基づく別個のコンテンツとを楽しむことができる。詳細については後の実施形態にて説明する。なお、データ信号取得部には、取得したデータに基づいて各種の処理を行う制御コントローラなどが含まれていてもよい。
【００１６】
図３は、本実施形態におけるＡＶ装置の具体例の一例を示す図である。図３では、「ＡＶ装置」（０３００）が液晶テレビである場合を例に挙げて説明する。図３において、音声信号取得部は「外部音声信号入力端子」（０３０３）であり、データ信号取得部は、「データ入力端子」（０３１１）である。また、その他の映像や音楽の入力手段として、チューナ（０３０１）や、ビデオ装置やＤＶＤ装置からの映像等が入力される映像入力端子（０３０２）が含まれている。図３では、チューナ（０３０１）と、映像入力端子（０３０２）と、外部音声信号入力端子（０３０３）と、をスイッチ（０３０４）が制御している。ここで、例えばユーザがテレビ放送を視聴している場合には、チューナからの信号がオーディオコントローラ（０３０５）や、制御コントローラ（０３０８）に対して送られている。かかる場合において、音声信号取得部である外部音声信号入力端子（０３０３）にモバイルオーディオ装置からのプラグが挿入された場合には、スイッチ（０３０４）は、外部音声信号入力端子（０３０３）をオーディオコントローラ（０３０５）と接続するスイッチ制御を行う。かかる処理により、モバイルオーディオ装置から出力された音声信号は、オーディオコントローラ（０３０５）にて音声出力の制御がなされる。そして、その音声信号は、アンプ（０３０６）にて増幅処理がなされて、スピーカ（０３０７）から出力されることになる。
【００１７】
一方、データ信号取得部であるデータ入力端子（０３１１）にて取得したデータ信号は、制御コントローラ（０３０８）に送られる。制御コントローラでは、データ信号に基づいた処理が行われる。例えば、画像やテキストを示すデータである場合には、ビデオコントローラ（０３０９）に対してその画像やテキスト等を表示させる制御をする。そして、ビデオコントローラ（０３０９）は、その画像等をＬＣＤパネルに対して出力する。このように、音声信号とデータ信号とは別個のコンテンツとして、それぞれの処理が行われる。なお、図３は、あくまでＡＶ装置の一例を示したものであり、これになんら限定されるものではない。
【００１８】
次に、モバイルオーディオ装置（０２２０）と、その各構成について説明する。「モバイルオーディオ装置」（０２２０）は、内蔵又は着脱可能フラッシュメモリなどの記憶媒体や小型ハードディスクなどの記憶装置を備えた装置である。なお、モバイルオーディオ装置は、小型携帯型の装置であることが望ましいが、これに限られることはない。例えば、デジタル楽器のように、音声やデータを外部に出力可能な装置であればモバイルオーディオ装置に含まれ得る。「音声信号出力部」（０２２１）は、ＡＶ装置に対して音声信号を出力する。音声信号出力部は、具体的にはヘッドホン出力端子やライン出力端子やこれに付随するアンプなどの回路のことである。また、これらの出力端子に接続するケーブルやプラグなども音声信号出力部に含まれ得る。音声信号は、モバイルオーディオ装置に備えられている記憶媒体や記憶装置に記憶されている音楽ファイルなどをアナログ変換したものである。この音声信号は、ＡＶ装置の音声信号取得部に対して出力される。
【００１９】
「データ信号出力部」（０２２２）は、ＡＶ装置に対してデータ信号を出力する。データ信号出力部は、具体的にはＵＳＢ端子、光端子、ＬＡＮ端子などのデータ転送規格に関する各種の出力端子や、これに付随する回路のことである。また、これらの出力端子に接続するケーブルジャックなどもデータ信号出力部に含まれ得る。データ信号は、モバイルオーディオ装置に備えられている記憶媒体や記憶装置に記憶されている各種のデータの信号のことである。なお、既に説明した音声信号のデジタルデータである音声ファイルや音楽ファイルなどについても、ここでいう「データ」に含まれる。即ち、モバイルオーディオ装置に記憶されている音声データは、デジタルデータの状態であれば、「データ信号」に含まれ、アナログのデータに変換した場合には、「音声信号」となる（以降、本明細書において同様である）。
【００２０】
図４は、モバイルオーディオ装置の具体例の一例を示す図である。図４は、ハードディスク（ＨＤＤ  ０４０１）を内蔵したモバイルオーディオ装置に関する図である。図４においては、音声信号出力部は、「ヘッドホン出力端子」（０４０８）と、「ライン出力端子」（０４０７）と、アンプ（０４０６）であり、データ出力部は、「ＵＳＢインターフェイス」（０４０３）である。まず、ＨＤＤ（０４０１）に記憶されている音声情報を出力する場合には、符号化されている音声ファイルを復号化させるために、制御コントローラ（０４０２）がデコーダ（０４０４）にその音声情報を送る。そして、デコーダ（０４０４）にて復号化された音声データは、Ｄ／Ａ変換器（０４０５）にて音声信号にアナログ変換される。そして、その音声信号は、音声信号出力部であるヘッドホン出力端子（０４０８）や、ライン出力端子（０４０７）から、ＡＶ装置に対して出力されることになる。なお、ライン出力端子（０４０７）と、ヘッドホン出力端子（０４０８）と、から出力される音声信号の違いは、アンプ（０４０６）にて増幅されているか否かである。一方、データ信号をＡＶ装置に対して出力する場合には、制御コントローラ（０４０２）が、ＨＤＤ（０４０１）に記憶されているデータを読み出して、データ出力端子であるＵＳＢインターフェイス（０４０３）を通じてデータを出力する制御がなされる。なお、図４は、あくまでもモバイルオーディオ装置の一例を示した図であり、これに何ら限定されるものではない。また、音声信号出力部とデータ信号出力部とは選択的に出力を実行するように構成されていてもよい。即ち、モバイルオーディオ装置は、音声信号のみを出力することも可能であるし、データ信号のみを出力することも可能であり、必ずしも両信号を出力しなくてよい。
【００２１】
<実施形態１の処理の流れ>
図５は、本実施形態におけるシーケンスの一例を示す図である。図５は、実施形態１での処理の流れの一例を示したものである。本実施形態における処理は、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００２２】
モバイルオーディオ装置からＡＶ装置に対して音声信号を出力する（Ｓ０５０１）。また、モバイルオーディオ装置からＡＶ装置に対してデータ信号を出力する（Ｓ０５０２）。本実施形態では、以上の処理が適宜行われることになる。なお、ステップＳ０５０１と、ステップＳ０５０２は、必ずしも交互に行う必要はなく、また、各ステップを一セットとして実行する必要もない。即ち、各ステップを単独で繰り返し実行してもよい。
【００２３】
<実施形態１の効果>
本実施形態におけるモバイルオーディオシステムは、モバイルオーディオ装置からＡＶ装置に対して音声信号と、データ信号とを出力することにより、別個のコンテンツを視聴することが可能となる。即ち、モバイルオーディオ装置に記憶されている音楽などを視聴し、かつ、モバイルオーディオ装置に記憶されている各種のデータを利用することで、それぞれのコンテンツを同時に楽しむことが可能となるため、ユーザビリティを向上させることができる。
【００２４】
<<実施形態２>>
<実施形態２の概要>
本実施形態におけるモバイルオーディオシステムは、モバイルオーディオ装置にて、コンテンツに関する情報を取得して、そのコンテンツを音声信号とデータ信号とに分離することを特徴とするものである。コンテンツを音声信号とデータ信号とに分離することにより、音声信号出力部又はデータ信号出力部のいずれから出力される信号であるかの切り分けを行うことができる。
【００２５】
<実施形態２の構成>
図６に本実施形態における機能ブロックの一例を示す。図６に示す本実施形態における「モバイルオーディオシステム」（０６００）は、「ＡＶ装置」（０６１０）と、「モバイルオーディオ装置」（０６２０）と、からなる。ＡＶ装置（０６１０）は、「音声信号取得部」（０６１１）と、「データ信号取得部」（０６１２）と、を有する。モバイルオーディオ装置（０６２０）は、「音声信号出力部」（０６２１）と、「データ信号出力部」（０６２２）と、「モバイルコンテンツ情報取得部」（０６２３）と、「分離部」（０６２４）と、を有する。
【００２６】
本実施形態におけるモバイルオーディオシステムは、実施形態１で説明したモバイルオーディオ装置が、さらに「モバイルコンテンツ情報取得部」（０６２３）と、「分離部」（０６２４）と、を有することを特徴とするものである。「モバイルコンテンツ情報取得部」と、「分離部」と、を除く各構成については実施形態１で説明したものと同様であるため、ここでの説明は省略する。
【００２７】
「モバイルコンテンツ情報取得部」（０６２３）は、モバイルコンテンツ情報を取得する。「モバイルコンテンツ情報」とは、モバイルオーディオ装置の記憶媒体や記憶装置に記憶されている各種のコンテンツに関する情報である。このモバイルオーディオコンテンツ情報は、例えばデータ信号を形成するためのものである。図７は、モバイルコンテンツ情報の一例を明示した模式図である。モバイルコンテンツ情報の具体例としては、映像コンテンツ情報、画像コンテンツ情報、音声コンテンツ情報、テキストコンテンツ情報、プログラムコンテンツ情報などが挙げられる。
【００２８】
「分離部」（０６２４）は、取得したモバイルコンテンツ情報を前記音声信号出力部から出力される音声信号と、前記データ信号出力部から出力されるデータ信号とに分離する。モバイルコンテンツ情報を音声信号とデータ信号とに分離することにより、音声信号出力部から出力される音声信号と、データ信号出力部から出力されるデータ信号とを明確に区別することができる。このため、音声信号出力部とデータ信号出力部にはそれぞれ、音声信号とデータ信号とに特化した信号が入力され、その信号が各出力部から出力されることになる。従って、分離部にて音声信号とデータ信号とを分離することで、音声信号出力部とデータ信号出力部においては各データのチェック機能などを有することなく、信号が入力された場合には、その信号を出力する機能を有するのみでそれぞれの信号出力部の機能を発揮することができる。
【００２９】
図８は、モバイルコンテンツ情報を分離する例を説明する図である。図８（ａ）では、画像コンテンツ情報を分離する例を示している。画像コンテンツ情報は、例えばＪＰＥＧ（Ｊｏｉｎｔ  Ｐｈｏｔｏｇｒａｐｈｉｃ  Ｅｘｐｅｒｔｓ  Ｇｒｏｕｐ）形式の画像ファイルから構成されている。この場合には、音声に関する情報は含まれていないため、モバイルコンテンツ情報である画像コンテンツ情報を分離する場合には、データ信号にのみ分離して、音声信号に分離することはない。一方、図８（ｂ）では、音声コンテンツ情報を分離する例を示している。音声コンテンツ情報は、例えばＭＰ３形式の音声ファイルから構成されている。この場合には、音声コンテンツ情報を音声信号に分離することになる。なお、図８（ｂ）の例では音声コンテンツ情報を音声信号に分離するとして説明を行ったが、データ信号に分離される場合もあり得る。即ち、モバイルオーディオ装置からＡＶ装置に対してモバイルコンテンツ情報である音声コンテンツ情報のデータ転送を行う場合には、音声コンテンツ情報はデータ信号に分離されることになる。図８（ｃ）は、映像コンテンツ情報を分離する例を示している。映像コンテンツ情報は、例えばＭＰＥＧ（Ｍｏｖｉｎｇ  Ｐｉｃｔｕｒｅ  Ｅｘｐｅｒｔｓ  Ｇｒｏｕｐ）などの映像ファイルから構成されており、映像と音声とが多重化されている。この場合には、モバイルコンテンツ情報を音声信号とデータ信号とに分離することになる。即ち、モバイルオーディオ装置にてその映像コンテンツを視聴するための処理を行う場合において、音声部分に関する情報は、音声信号として分離され、その他の映像部分に関する情報は、データ信号として分離される。なお、映像コンテンツを分離する場合には、結果的には一のコンテンツに対する処理を行うことになるが、この場合には、例えばＡＶ装置側にて適切なデコーダなどが搭載されていない場合であっても、モバイルオーディオ装置側にてデコードされたデータ信号がＡＶ装置に出力されることで、デコーダを有していないＡＶ装置においても映像コンテンツを視聴することができる、という点において有益な効果がある。
【００３０】
分離部は、例えば図４で説明したモバイルオーディオ装置の構成においては、制御コントローラ（０４０２）に含まれるものである。図９は、モバイルオーディオ装置の分離部を説明するための図である。ここでは、ＨＤＤ（０９０３）に記憶されているモバイルコンテンツ情報が画像コンテンツ情報である場合を例に挙げて説明する。まず、ＣＰＵ（０９０１）は、ＲＯＭ（０９０２）の所定の記憶領域に格納されている状態監視プログラムを起動しており、そのプログラムに基づく各種の処理を実行可能な状態になっているものとする。この場合に、外部から画像コンテンツ情報を転送するための命令を示す情報が、Ｉ／Ｏ（０９０４）を通じてＣＰＵに通知されると、ＣＰＵはＲＯＭの所定の記憶領域に格納されている転送処理プログラムを起動して、ＨＤＤから画像コンテンツ情報をＲＡＭ（０９０５）に読み込む。そして、ＲＡＭに読み込まれた画像コンテンツ情報を、音声信号とデータ信号とに分離するための命令を実行する。例えば、ファイルの拡張子やヘッダ情報などを参照し、画像コンテンツ情報をデータ信号に分離する。即ち、ＲＯＭの所定領域に格納されている命令に基づいて、ＣＰＵは、ＲＡＭに一時的に読み込んだ画像コンテンツ情報を、ファイル拡張子などを参照した結果データ信号として出力するための命令を出力する。そして、画像コンテンツ情報は、ＲＡＭからデータ信号出力部に対してＩ／Ｏを通じてデータ信号として送られる。
【００３１】
<実施形態２の処理の流れ>
図１０に本実施形態におけるモバイルオーディオ装置の処理の流れの一例を示す。まず、モバイルコンテンツ情報を取得する（Ｓ１００１）。次に、ステップＳ１００１にて取得したモバイルコンテンツ情報を音声信号出力部から出力される音声信号と、データ信号出力部から出力されるデータ信号とに分離する（Ｓ１００２）。次に、音声信号を出力する場合には音声信号を出力する（Ｓ１００３、Ｓ１００４）。また、データ信号を出力する場合には、データ信号を出力する（Ｓ１００５、Ｓ１００６）。なお、音声信号とデータ信号の出力タイミングは、図１０の例と逆であってもよいし、あるいは両者の出力が同時に行われてもよい。
【００３２】
<実施形態２の効果>
本実施形態におけるモバイルオーディオシステムは、モバイルオーディオ装置にてモバイルコンテンツ情報を、音声信号とデータ信号とに分離することにより、音声信号出力部又はデータ信号出力部のいずれの出力部から出力される信号であるかの切り分けを行うことが可能となる。このため、各出力部にて信号のチェック機能などを設ける必要がなくなるため、処理の高速化を実現することができる。
【００３３】
<<実施形態３>>
<実施形態３の概要>
本実施形態は、モバイルオーディオ装置が、ＡＶ装置に対して出力するデータ信号として画像信号を取得するモバイルオーディオシステムに関するものである。画像信号を取得することにより、ＡＶ装置に対してモバイルオーディオ装置に保存されている音楽のジャケット写真などをＡＶ装置に対して表示することができる。図１１は、本実施形態の概念の一例を示す図である。図１１では、ＡＶ装置にモバイルオーディオ装置に記憶されている画像が表示されている状態を示している。
【００３４】
<実施形態３の構成>
図１２に本実施形態における機能ブロックの一例を示す。図１２に示す本実施形態における「モバイルオーディオシステム」（１２００）は、「ＡＶ装置」（１２１０）と、「モバイルオーディオ装置」（１２２０）と、からなる。ＡＶ装置（１２１０）は、「音声信号取得部」（１２１１）と、「データ信号取得部」（１２１２）と、を有する。モバイルオーディオ装置（１２２０）は、「音声信号出力部」（１２２１）と、「データ信号出力部」（１２２２）と、「モバイルコンテンツ情報取得部」（１２２３）と、「分離部」（１２２４）と、を有する。分離部（１２２４）は、「モバイル画像信号取得手段」（１２２５）を有する。
【００３５】
本実施形態におけるモバイルオーディオシステムは、実施形態２で説明したモバイルオーディオ装置が、さらに「モバイル画像信号取得手段」（１２２５）を有することを特徴とするものである。「モバイル画像信号取得手段」を除く各構成については実施形態２で説明したものと同様であるため、ここでの説明は省略する。
【００３６】
分離部（１２２４）が有する「モバイル画像信号取得手段」（１２２５）は、モバイルコンテンツ情報からデータ信号としてモバイル画像信号を取得するためのものである。即ち、モバイルコンテンツ情報を、音声信号とデータ信号とに分離し、その分離したデータ信号としてモバイル画像信号を取得するものである。「モバイル画像信号」とは、モバイルコンテンツ情報の中の、画像情報を構成する信号のことである。具体例としては、音楽のジャケット写真が挙げられる。つまり、音声信号として出力している音楽のジャケット写真をデータ信号としてＡＶ装置に対して出力することで、モバイルオーディオ装置に備えられた小さな表示画面ではなく、ＡＶ装置に備えられた大きな表示画面にてその画像を見ることができる。また、モバイル画像信号の他の例としては、モバイルオーディオ装置にて行っているゲームプログラムの画面や、モバイルオーディオ装置の操作画面などが挙げられる。なお、このようにして取得されたデータ信号であるモバイル画像信号は、データ信号出力部からＡＶ装置に対して出力される。そして、ＡＶ装置では、そのモバイル画像信号を取得して、例えばＬＣＤディスプレイなどにそのモバイル画像を表示する。
【００３７】
また、ＡＶ装置においてはデータ信号としてモバイル画像信号を取得した場合には、ＬＣＤディスプレイの表示画面全てにそのモバイル画像を表示してもよいし、あるいは表示画面の一部にそのモバイル画像を表示してもよい。
【００３８】
図１３は、本実施形態における他の機能ブロック図の一例を示す図である。図１３は、図１２で説明したＡＶ装置が、さらに「ＡＶコンテンツ情報取得部」（１３１３）と、「ディスプレイ」（１３１４）を有し、ＡＶ装置のデータ信号取得部がさらに「モバイル画像出力手段」（１３１５）を有することを特徴とする図である。その他の各構成は図１２で示したモバイルオーディオシステムと同様である。
【００３９】
「ＡＶコンテンツ情報取得部」（１３１３）は、ＡＶコンテンツ情報を取得するためのものである。「ＡＶコンテンツ」とは、映像又は音声、あるいはこれらを組み合わせたコンテンツのことである。ＡＶコンテンツ情報取得部の具体例としては、チューナや、あるいはビデオ装置やＤＶＤ装置から映像が入力される映像入力端子などが挙げられる。「ディスプレイ」は、コンテンツを出力するためのものである。「コンテンツ」には、既に説明したモバイルコンテンツやＡＶコンテンツが含まれる。ディスプレイの具体例としては、ＬＣＤディスプレイや、ＣＲＴ（Ｃａｔｈｏｄｅ  Ｒａｙ  Ｔｕｂｅ）ディスプレイや、プラズマディスプレイや有機ＥＬ（ｅｌｅｃｔｒｏ−ｌｕｍｉｎｅｓｃｅｎｃｅ）ディスプレイなどが挙げられ、コンテンツを出力可能なディスプレイであればいずれのディスプレイも含まれる。
【００４０】
データ信号取得部が有する「モバイル画像出力手段」（１３１５）は、前記モバイル画像信号取得手段（１３２５）が取得したモバイル画像信号に基づいてディスプレイにＡＶコンテンツの全部又は一部とともにモバイル画像を出力するためのものである。「モバイル画像」とは、モバイル画像信号によって表示される画像のことである。「ＡＶコンテンツの全部又は一部」とは、例えばディスプレイにＡＶコンテンツとモバイル画像との両者を表示する場合において、ＡＶコンテンツを縮小表示することでＡＶコンテンツの全部を表示する場合もあれば、ＡＶコンテンツの一部分の上にモバイル画像を表示させることで、ＡＶコンテンツの一部を欠いた状態で表示する場合があることを意味している。図１４は、ＡＶコンテンツの全部とともにモバイル画像を表示する例と、ＡＶコンテンツの一部とともにモバイル画像を表示する例を示す図である。図１４（ａ）は、ＡＶコンテンツとして人が二人映っている映像をディスプレイに表示している図である。ここで、図１４（ａ）の映像とともにモバイル画像を表示する場合に、ＡＶコンテンツの「全部」を表示する場合は図１４（ｂ）のように、画面を二分割して、一方には縮小されたＡＶコンテンツの全体映像を表示し、他方にはモバイル画像の画面を表示する。これに対して、ＡＶコンテンツの「一部」を表示する場合は、図１４（ｃ）のように、ＡＶコンテンツの映像は縮小処理をせずにその右側部分にモバイル画像を表示する。このため、モバイル画像を表示した部分の一部を欠いた映像を表示することになる。なお、図１４の例では、画面を均等に横二分割をした例に基づいて説明を行ったが、例えば縦に画面を分割して表示してもよいし、分割する場合には均等二分割ではなく、他方をより多く表示するように分割割合を変更してもよい。あるいは、画面を分割せずに、ＡＶコンテンツの映像を背景映像としてそのまま表示し、その映像上にモバイル画像を表示してもよい。なお、画面を分割する方法としては、画面上にアドレスを付し、その分割位置に応じたアドレスを利用して各映像を表示させるための処理を行うことで画面の分割表示を行うことができる。
【００４１】
<実施形態３の処理の流れ>
図１５は、本実施形態におけるモバイルオーディオシステムにおける処理の流れの一例を示す。モバイルオーディオ装置において、モバイルコンテンツ情報からデータ信号としてモバイル画像信号を取得する（Ｓ１５０１）。そして、データ信号を出力する（Ｓ１５０２）。モバイルオーディオ装置からＡＶ装置に対してはデータ信号としてモバイル画像信号が出力される（Ｓ１５０３）。一方、ＡＶ装置においては、ステップＳ１５０３にてモバイルオーディオ装置から出力されたモバイル画像信号をデータ信号として取得する（Ｓ１５０４）。そして、ステップＳ１５０５にて取得したモバイル画像信号に基づいて、ディスプレイにＡＶコンテンツの全部又は一部とともにモバイル画像を出力する（Ｓ１５０５）。
【００４２】
<実施形態３の効果>
本実施形態におけるモバイルオーディオシステムは、モバイルオーディオ装置がデータ信号としてモバイル画像信号を取得することによって、ＡＶ装置にそのモバイル画像信号が出力されることなり、そのモバイル画像をＡＶ装置のディスプレイに表示することが可能となる。このため、モバイルオーディオ装置に記憶されている音楽を聞きながら、モバイルオーディオ装置に記憶されている音楽のジャケット写真などをＡＶ装置のディスプレイの大画面を用いて見ることができ、ユーザの利便性が向上する。また、ＡＶ装置にてそのモバイル画像を表示する場合に、ＡＶコンテンツの全部又は一部とともにモバイル画像を表示することが可能となるため、ＡＶコンテンツを見ながら、モバイルオーディオに記憶されている音楽を楽しみ、かつ、ジャケット写真などもＡＶコンテンツとともにＡＶ装置のディスプレイに表示することが可能となるため、ユーザビリティが向上する。
【００４３】
<<実施形態４>>
<実施形態４の概要>
本実施形態は、モバイルオーディオ装置がＡＶ装置に対して出力するデータ信号として、テキスト情報を取得するモバイルオーディオシステムに関するものである。テキスト情報を取得することにより、ＡＶ装置に対してモバイルオーディオ装置に保存されている音楽の歌詞などをＡＶ装置に対して表示することができる。図１６は、本実施形態の概念の一例を示す図である。図１６は、ＡＶ装置にモバイルオーディオ装置に記憶されているテキスト情報が表示されている状態を示している。なお、テキスト情報は、ＡＶ装置のディスプレイにＡＶコンテンツの全部又は一部とともに表示することも可能である。
【００４４】
<実施形態４の構成>
図１７に本実施形態における機能ブロックの一例を示す。図１７に示す本実施形態における「モバイルオーディオシステム」（１７００）は、「ＡＶ装置」（１７１０）と、「モバイルオーディオ装置」（１７２０）と、からなる。ＡＶ装置（１７１０）は、「音声信号取得部」（１７１１）と、「データ信号取得部」（１７１２）と、「ＡＶコンテンツ情報取得部」（１７１３）と、「ディスプレイ」（１７１４）と、を有する。データ信号取得部（１７１２）は、「モバイルテキスト文字列出力手段」（１７１５）を有する。モバイルオーディオ装置（１７２０）は、「音声信号出力部」（１７２１）と、「データ信号出力部」（１７２２）と、「モバイルコンテンツ情報取得部」（１７２３）と、「分離部」（１７２４）と、を有する。分離部（１７２４）は、「モバイルテキスト情報取得手段」（１７２５）を有する。
【００４５】
本実施形態は、実施形態２で説明したＡＶ装置がさらに「ＡＶコンテンツ情報取得部」（１７１３）と、「ディスプレイ」（１７１４）と、「モバイルテキスト文字列出力手段」（１７１５）と、を有し、モバイルオーディオ装置がさらに「モバイルテキスト情報取得手段」（１７２５）を有することを特徴とするものである。「ＡＶコンテンツ情報取得部」（１７１３）と、「ディスプレイ」（１７１４）と、「モバイルテキスト文字列出力手段」（１７１５）と、「モバイルテキスト情報取得手段」（１７２５）とを除く各構成については実施形態２で説明したものと同様である。また、「ＡＶコンテンツ情報取得部」（１７１３）と、「ディスプレイ」（１７１４）については実施形態３で説明したものと同様である。また、本実施形態では、「ＡＶコンテンツ情報取得部」（１７１３）、「ディスプレイ」（１７１４）、「モバイルテキスト文字列出力手段」（１７１５）は、任意的な構成要件である。
【００４６】
モバイルオーディオ装置の分離部が有する「モバイルテキスト情報取得手段」（１７２５）は、モバイルコンテンツ情報からデータ信号としてモバイルテキスト情報を取得するためのものである。即ち、モバイルコンテンツ情報を、音声信号とデータ信号とに分離し、その分離したデータ信号としてモバイルテキスト情報を取得するものである。「モバイルテキスト情報」とは、モバイルコンテンツ情報の中の、テキスト情報のことである。具体例としては、音楽の歌詞についての情報や、音楽の解説文についての情報が挙げられる。つまり、音声信号として出力している音楽の歌詞や解説文をデータ信号としてＡＶ装置に対して出力することで、モバイルオーディオ装置に備えられた小さな表示画面ではなく、ＡＶ装置に備えられた大きな表示画面にてそのテキストを見ることができる。なお、このようにして取得されたデータ信号であるモバイルテキスト情報は、データ信号出力部からＡＶ装置に対して出力される。
【００４７】
ＡＶ装置のデータ信号取得部が有する「モバイルテキスト文字列出力手段」（１７１５）は、前記モバイルテキスト情報取得手段が取得したモバイルテキスト情報に基づいてディスプレイにＡＶコンテンツの全部又は一部とともにモバイルテキスト文字列を出力するためのものである。「モバイルテキスト文字列」とは、モバイルテキスト情報によって表示されるテキスト文字のことである。「ＡＶコンテンツの全部又は一部」とは、例えばディスプレイにＡＶコンテンツとモバイルテキスト文字列との両者を表示する場合において、ＡＶコンテンツを縮小表示することでＡＶコンテンツの全部を表示する場合もあれば、ＡＶコンテンツの一部分の上にモバイルテキスト文字列を表示させることで、ＡＶコンテンツの一部を欠いた状態で表示する場合があることを意味している。図１８は、ＡＶコンテンツの全部とともにモバイルテキスト文字列を表示する例と、ＡＶコンテンツの一部とともにモバイルテキスト文字列を表示する例を示す図である。図１８（ａ）は、ＡＶコンテンツとして人が二人映っている映像をディスプレイに表示している図である。ここで、図１８（ａ）の映像とともにモバイルテキスト文字列を表示する場合に、ＡＶコンテンツの「全部」を表示する場合は図１８（ｂ）のように、画面を二分割して、一方には縮小されたＡＶコンテンツの全体映像を表示し、他方にはモバイルテキスト文字列の画面を表示する。これに対して、ＡＶコンテンツの「一部」を表示する場合は、図１８（ｃ）のように、ＡＶコンテンツの映像は縮小処理をせずにその右側部分にモバイルテキスト文字列を表示する。このため、モバイルテキスト文字列を表示した部分の一部を欠いた映像を表示することになる。なお、図１８の例では、画面を均等に横二分割をした例に基づいて説明を行ったが、例えば縦に画面を分割して表示してもよいし、分割する場合には均等二分割ではなく、他方をより多く表示するように分割割合を変更してもよい。あるいは、画面を分割せずに、ＡＶコンテンツの映像を背景映像としてそのまま表示し、その映像上にモバイルテキスト文字列を表示してもよい。なお、画面を分割する方法としては、画面上にアドレスを付し、その分割位置に応じたアドレスを利用して各映像を表示させるための処理を行うことで画面の分割表示を行うことができる。
【００４８】
<実施形態４の処理の流れ>
図１９は、本実施形態におけるモバイルオーディオシステムにおける処理の流れの一例を示す。モバイルオーディオ装置において、モバイルコンテンツ情報からデータ信号としてモバイルテキスト情報を取得する（Ｓ１９０１）。そして、データ信号を出力する（Ｓ１９０２）。モバイルオーディオ装置からＡＶ装置に対してはデータ信号としてモバイルテキスト情報が出力される（Ｓ１９０３）。一方、ＡＶ装置においては、ステップＳ１９０３にてモバイルオーディオ装置から出力されたモバイルテキスト情報をデータ信号として取得する（Ｓ１９０４）。そして、ステップＳ１９０５にて取得したモバイルテキスト情報に基づいて、ディスプレイにＡＶコンテンツの全部又は一部とともにモバイルテキスト文字列を出力する（Ｓ１９０５）。
【００４９】
<実施形態４の効果>
本実施形態におけるモバイルオーディオシステムは、モバイルオーディオ装置がデータ信号としてモバイルテキスト情報を取得することによって、ＡＶ装置にそのモバイルテキスト情報が出力されることなり、そのモバイルテキスト情報に基づくモバイルテキスト文字列をＡＶ装置のディスプレイに表示することが可能となる。このため、モバイルオーディオ装置に記憶されている音楽を聞きながら、モバイルオーディオ装置に記憶されている歌詞や解説文などを見ることができ、ユーザの利便性が向上する。また、ＡＶ装置にてそのモバイルテキスト文字列を表示する場合に、ＡＶコンテンツの全部又は一部とともにモバイル画像を表示することが可能となるため、ＡＶコンテンツを見ながら、モバイルオーディオに記憶されている音楽を楽しみ、かつ、歌詞や解説文などもＡＶコンテンツとともにＡＶ装置のディスプレイに表示することが可能となるため、ユーザビリティが向上する。
【００５０】
<<実施形態５>>
<実施形態５の概要>
本実施形態は、モバイルオーディオ装置がＡＶ装置に対して出力するデータ信号として、プログラム情報を取得するモバイルオーディオシステムに関するものである。プログラム情報を取得することにより、ＡＶ装置に対してモバイルオーディオ装置に保存されている各種のプログラム（例えばスクリーンセイバープログラム）をＡＶ装置にて実行することができる。
【００５１】
<実施形態５の構成>
図２０に本実施形態における機能ブロックの一例を示す。図２０に示す本実施形態における「モバイルオーディオシステム」（２０００）は、「ＡＶ装置」（２０１０）と、「モバイルオーディオ装置」（２０２０）と、からなる。ＡＶ装置（２０１０）は、「音声信号取得部」（２０１１）と、「データ信号取得部」（２０１２）と、「ＡＶコンテンツ情報取得部」（２０１３）と、「ディスプレイ」（２０１４）と、を有する。データ信号取得部（２０１２）は、「実行手段」（２０１５）を有する。モバイルオーディオ装置（２０２０）は、「音声信号出力部」（２０２１）と、「データ信号出力部」（２０２２）と、「モバイルコンテンツ情報取得部」（２０２３）と、「分離部」（２０２４）と、を有する。分離部（２０２４）は、「モバイルプログラム情報取得手段」（２０２５）を有する。
【００５２】
本実施形態は、実施形態２で説明したＡＶ装置がさらに「ＡＶコンテンツ情報取得部」（２０１３）と、「ディスプレイ」（２０１４）と、「実行手段」（２０１５）と、を有し、モバイルオーディオ装置がさらに「モバイルプログラム情報取得手段」（２０２５）を有することを特徴とするものである。「ＡＶコンテンツ情報取得部」（２０１３）と、「ディスプレイ」（２０１４）と、「実行手段」（２０１５）と、「モバイルプログラム情報取得手段」（２０２５）とを除く各構成については実施形態２で説明したものと同様である。また、「ＡＶコンテンツ情報取得部」（２０１３）と、「ディスプレイ」（２０１４）については実施形態３で説明したものと同様である。また、本実施形態では、「ＡＶコンテンツ情報取得部」（２０１３）及び「ディスプレイ」（２０１４）並びに、「実行手段」（２０１５）は、任意的な構成要件である。
【００５３】
モバイルオーディオ装置の分離部が有する「モバイルプログラム情報取得手段」（２０２５）は、モバイルコンテンツ情報からデータ信号としてモバイルプログラム情報を取得するためのものである。即ち、モバイルコンテンツ情報を、音声信号とデータ信号とに分離し、その分離したデータ信号としてモバイルプログラム情報を取得するものである。「モバイルプログラム情報」とは、モバイルコンテンツ情報の中の、プログラムに関する情報のことである。具体例としては、スクリーンセイバーについてのプログラム情報が挙げられる。つまり、音声信号として音楽を出力し、併せてスクリーンセイバーについてのプログラムをデータ信号としてＡＶ装置に対して出力することで、ＡＶ装置に備えられた大きな表示画面にてそのスクリーンセイバーを起動することができる。また、モバイルプログラム情報の他の例としては、楽曲をランダムに再生する楽曲選択プログラムや、所定の音域を強調させて出力させるための音質調整プログラムなどが挙げられる。なお、このようにして取得されたデータ信号であるモバイルプログラム情報は、データ信号出力部からＡＶ装置に対して出力される。
【００５４】
ＡＶ装置のデータ信号取得部が有する「実行手段」（２０１５）は、前記モバイルプログラム情報取得手段が取得したモバイルプログラム情報に基づくプログラムをＡＶコンテンツの全部又は一部とともに実行するためのものである。実行手段は、ＣＰＵ、ＲＯＭ、ＲＡＭなどから構成されている。そして、例えば、データ信号として取得したモバイルプログラム情報を、ＲＡＭに格納し、ＣＰＵがそのプログラムの命令を読み出して対応する命令を出力することで実行される。なお、本実施形態では、モバイルオーディオ装置から取得するモバイルプログラム情報は、ＡＶ装置のプラットフォームに適したプログラムであるものとする。プログラムは、例えばスクリーンセイバーを起動するプログラムが挙げられる。「ＡＶコンテンツの全部又は一部」とは、例えばディスプレイにＡＶコンテンツとスクリーンセイバーとの両者を表示する場合において、ＡＶコンテンツを縮小表示することでＡＶコンテンツの全部を表示する場合もあれば、ＡＶコンテンツの一部分の上にスクリーンセイバーを起動表示させることで、ＡＶコンテンツの一部を欠いた状態で表示する場合があることを意味している。また、画面を均等に横二分割をしてもよいし、縦に画面を分割して表示してもよい。さらには、分割する場合には均等二分割ではなく、他方をより多く表示するように分割割合を変更してもよい。あるいは、画面を分割せずに、ＡＶコンテンツの映像を背景映像としてそのまま表示し、その映像上にスクリーンセイバーを表示してもよい。なお、画面を分割する方法としては、画面上にアドレスを付し、その分割位置に応じたアドレスを利用して各映像を表示させるための処理を行うことで画面の分割表示を行うことができる。
【００５５】
<実施形態５の処理の流れ>
図２１は、本実施形態におけるモバイルオーディオシステムにおける処理の流れの一例を示す。モバイルオーディオ装置において、モバイルコンテンツ情報からデータ信号としてモバイルプログラム情報を取得する（Ｓ２１０１）。そして、データ信号を出力する（Ｓ２１０２）。モバイルオーディオ装置からＡＶ装置に対してはデータ信号としてモバイルプログラム情報が出力される（Ｓ２１０３）。一方、ＡＶ装置においては、ステップＳ２１０３にてモバイルオーディオ装置から出力されたモバイルプログラム情報をデータ信号として取得する（Ｓ２１０４）。そして、ステップＳ２１０５にて取得したモバイルプログラム情報に基づくプログラムをＡＶコンテンツの全部又は一部とともに実行する（Ｓ２１０５）。
【００５６】
<実施形態５の効果>
本実施形態におけるモバイルオーディオシステムは、モバイルオーディオ装置がデータ信号としてモバイルプログラム情報を取得することによって、ＡＶ装置にそのモバイルプログラム情報が出力されることなり、そのモバイルプログラム情報に基づくプログラムを実行することが可能となる。このため、モバイルオーディオ装置に記憶されている音楽を聞きながら、モバイルオーディオ装置に記憶されているスクリーンセイバーなどを起動し見ることができ、ユーザの利便性が向上する。また、ＡＶ装置にてそのプログラムを実行する場合に、ＡＶコンテンツの全部又は一部とともにプログラムを実行することが可能となるため、ＡＶコンテンツを見ながら、モバイルオーディオに記憶されている音楽を楽しみ、かつ、スクリーンセイバーを起動してＡＶコンテンツとともにＡＶ装置のディスプレイに表示することが可能となるため、ユーザビリティが向上する。
【００５７】
<<実施形態６>>
<実施形態６の概要>
本実施形態は、ＡＶ装置がモバイルオーディオ装置から出力される制御信号に基づいてＡＶ装置の制御を行うモバイルオーディオシステムに関するものである。制御の具体例としては、バックライトの輝度を落とすなどして省エネ制御を行うことが挙げられる。
【００５８】
<実施形態６の構成>
図２２に本実施形態における機能ブロックの一例を示す。図２２に示す本実施形態における「モバイルオーディオシステム」（２２００）は、「ＡＶ装置」（２２１０）と、「モバイルオーディオ装置」（２２２０）と、からなる。ＡＶ装置（２２１０）は、「音声信号取得部」（２２１１）と、「データ信号取得部」（２２１２）と、「制御部」（２２１４）を有する。データ信号取得部（２２１２）は、「制御信号取得手段」（２２１３）を有する。制御部（２２１４）は、「省エネ制御手段」（２２１５）を有する。モバイルオーディオ装置（２２２０）は、「音声信号出力部」（２２２１）と、「データ信号出力部」（２２２２）と、を有する。
【００５９】
本実施形態は、実施形態１から５のいずれかで説明したモバイルオーディオシステムのＡＶ装置が、さらに「制御信号取得手段」（２２１３）と、「制御部」（２２１４）と、「省エネ制御手段」（２２１５）と、を有することを特徴とするものである。「制御信号取得手段」と、「制御部」と、「省エネ制御手段」と、を除く各構成については実施形態１から５のいずれかで説明したものと同様であるため、ここでの説明は省略する。なお、本実施形態においては「省エネ制御手段」（２２１５）は、任意的な構成要件である。
【００６０】
「制御信号取得手段」（２２１３）は、データ信号として制御信号を取得する。「制御信号」とは、ＡＶ装置を制御するための信号のことである。但し、必ずしもモバイルオーディオ装置にて制御信号であると明確に区別されている必要はない。例えば、ＡＶ装置がデータ信号として実施形態５で説明したモバイルプログラム情報を取得した場合には、そのモバイルプログラム情報を取得したことによって、制御信号を取得したとＡＶ装置側にて解釈してもよい。換言すれば、モバイルオーディオ装置からＡＶ装置を直接的に制御するための制御信号が出力されなくとも、ＡＶ装置側にて制御信号を取得したとしてその後の処理を行ってもよい。
【００６１】
「制御部」（２２１４）は、取得した制御信号に基づいて制御するためのものである。「制御」とは、ＡＶ装置の制御のことであり、具体的には液晶のバックライトの輝度を下げたり、コントラスト比を変更したりすることが挙げられる。本実施形態では、制御部（２２１４）が、取得した制御信号に基づいて省エネ制御をするための省エネ制御手段（２２１５）を有する場合を基に説明を行う。「省エネ制御」とは、バックライトの輝度を下げたり、あるいは、バックライトをオフにすることが挙げられる。例えば、モバイルプログラム情報に基づいてスクリーンセイバーを起動する場合には、スクリーンセイバーの起動と連動してバックライトの表示輝度を下げる。表示輝度を下げることにより、エネルギー資源を節約することができる。輝度を下げる方法としては、例えばバックライトを駆動するインバータ回路を発振させるためのＰＷＭ（Ｐｕｌｓｅ  Ｗｉｄｔｈ  Ｍｏｄｕｌａｔｉｏｎ）による制御によって輝度を下げることができる。具体的には、パルス幅のデューティー比を下げることで、輝度を下げることができる。
【００６２】
<実施形態６の処理の流れ>
図２３は、本実施形態におけるＡＶ装置の処理の流れの一例を示す図である。ＡＶ装置は、モバイルオーディオ装置からデータ信号として制御信号を取得する（Ｓ２３０１）。そして、ステップＳ２３０１にて取得した制御信号に基づいて省エネ制御をする（Ｓ２３０２）。なお、図示していないが、その他実施形態１から５のいずれかで説明した処理を実行することもできる。
【００６３】
<実施形態６の効果>
本実施形態におけるモバイルオーディオシステムは、ＡＶ装置がモバイルオーディオ装置から制御信号を取得し、その取得した制御信号に基づいて自身の制御を行うことができるため、各種の制御を行うことができる。特に、輝度を下げるなどの省エネ制御を行うことでエネルギー資源を節約することができる。
【００６４】
<<実施形態７>>
<実施形態７の概要>
本実施形態は、モバイルオーディオ装置から出力される音声信号やデータ信号を、ＡＶ装置にて蓄積することが可能なモバイルオーディオシステムに関するものである。例えば音楽をＡＶ装置にダウンロードして、ＡＶ装置単独で音楽などのコンテンツを楽しむことができる。
【００６５】
<実施形態７の構成>
図２４に本実施形態における機能ブロックの一例を示す。図２４に示す本実施形態における「モバイルオーディオシステム」（２４００）は、「ＡＶ装置」（２４１０）と、「モバイルオーディオ装置」（２４２０）と、からなる。ＡＶ装置（２４１０）は、「音声信号取得部」（２４１１）と、「データ信号取得部」（２４１２）と、「蓄積部」（２４１３）を有する。モバイルオーディオ装置（２４２０）は、「音声信号出力部」（２４２１）と、「データ信号出力部」（２４２２）と、を有する。
【００６６】
本実施形態は、実施形態１から６のいずれかで説明したＡＶ装置が、さらに「蓄積部」（２４１３）を有することを特徴とするものである。「蓄積部」を除く各構成については実施形態１から６のいずれかで説明したものと同様であるため、ここでの説明は省略する。
【００６７】
「蓄積部」（２４１３）は、音声信号取得部が取得した音声信号又は／及びデータ信号取得部が取得したデータ信号を蓄積する。蓄積部は、具体的にはハードディスクなどの記録装置や、あるいはメモリーカードのような着脱可能な記録媒体に対して情報を書き込む処理を行う。例えば、音声信号取得部にて取得した音声信号を、ハードディスクに書き込んだり、あるいは、データ信号取得部にて取得したモバイル画像信号をハードディスクに書き込む。さらには、音声に関するコンテンツについて、音声信号ではなく、データ信号として取得してハードディスクに書き込むことも可能である。即ち、モバイルオーディオ装置に記憶されている音声コンテンツは、通常デジタル形式の音声ファイルとして記憶されている。この音声コンテンツがモバイルオーディオ装置からＡＶ装置に対して出力される場合には２つのパターンが考えられる。１つ目のパターンとしては、音声信号出力部からアナログ形式の音声信号として出力される場合であり、２つ目のパターンとしては、データ信号出力部からデジタル形式の音声ファイルのまま出力される場合である。いずれの場合にせよ、ＡＶ装置の蓄積部にてその音声信号又はデータ信号を蓄積することができる。なお、アナログ形式の音声信号を取得して蓄積する場合には、音質が劣化する場合があるが、逆に音質が劣化することで、コピー防止を促進することにもなるため、著作権の保護という観点からは有用な蓄積方法となる。このようにしてＡＶ装置に各コンテンツを蓄積することにより、ＡＶ装置単体でその蓄積したコンテンツの視聴を行うことができるため、利便性が向上する。
【００６８】
<実施形態７の処理の流れ>
図２５は、本実施形態におけるＡＶ装置の処理の流れの一例を示す図である。ステップＳ２５０１にて、取得した信号の種別を判断する。ステップＳ２５０１にて、取得した信号が音声信号である場合には、ステップＳ２５０２に進み、音声信号を蓄積するかを判断する。ステップＳ２５０２にて蓄積すると判断した場合には、ステップＳ２５０３にて、音声信号を蓄積する処理を行う。一方、ステップＳ２５０１にて、取得した信号がデータ信号である場合には、ステップＳ２５０４に進み、データ信号を蓄積するかを判断する。ステップＳ２５０４にて蓄積すると判断した場合には、ステップＳ２５０５にて、データ信号を蓄積する処理を行う。なお、その他実施形態１から６で説明した処理を実行することも可能である。
【００６９】
<実施形態７の効果>
本実施形態におけるモバイルオーディオシステムは、モバイルオーディオ装置からＡＶ装置に対して出力される音声信号又は／及びデータ信号を、ＡＶ装置にて蓄積することにより、ＡＶ装置単体にてその蓄積された信号に基づくコンテンツを視聴することが可能となり、利便性の向上が期待できる。
【００７０】
<<実施形態８>>
<実施形態８の概要>
本実施形態におけるモバイルオーディオシステムは、モバイルオーディオ装置からＡＶ装置に対してコンテンツが送信され、ＡＶ装置にて音声信号とデータ信号とに分離する処理を行うことを特徴とするものである。
【００７１】
<実施形態８の構成>
図２６に本実施形態における機能ブロックの一例を示す。図２６に示す本実施形態における「モバイルオーディオシステム」（２６００）は、「ＡＶ装置」（２６１０）と、「モバイルオーディオ装置」（２６２０）と、からなる。ＡＶ装置（２６１０）は、「モバイルコンテンツ情報取得部」（２６１１）と、「第二分離部」（２６１２）と、を有する。モバイルオーディオ装置（２６２０）は、「モバイルコンテンツ情報送信部」（２６２１）を有する。
【００７２】
ＡＶ装置の「モバイルコンテンツ情報取得部」（２６１１）は、モバイルオーディオ装置からモバイルコンテンツ情報を取得する。「第二分離部」（２６１２）は、取得したモバイルコンテンツ情報から音声信号と、データ信号とを分離して取得する。「第二分離部」については、既に説明した「分離部」とその機能において同様である。また、モバイルオーディオ装置の「モバイルコンテンツ情報送信部」（２６２１）は、モバイルコンテンツ情報を送信する。即ち、本実施形態におけるモバイルオーディオシステムは、モバイルオーディオ装置から各コンテンツに関する情報であるモバイルコンテンツ情報がＡＶ装置に対して送信され、ＡＶ装置にてその取得したモバイルコンテンツ情報を音声信号とデータ信号とに分離して取得することになる。なお、以降の処理については実施形態１から７のいずれかにて説明した処理と同様の処理を行うことができる。
【００７３】
<実施形態８の処理の流れ>
図２７に本実施形態における処理の流れの一例を示す。まず、モバイルオーディオ装置からＡＶ装置に対してモバイルコンテンツ情報を送信する（Ｓ２７０１）。ＡＶ装置においては、ステップＳ２７０１にてモバイルオーディオ装置から出力されたモバイルコンテンツ情報を取得する（Ｓ２７０２）。そして、ステップＳ２７０２にて取得したモバイルコンテンツ情報から音声信号と、データ信号とを分離して取得する（Ｓ２７０３）。
【００７４】
<実施形態８の効果>
本実施形態におけるモバイルオーディオシステムは、モバイルオーディオ装置からＡＶ装置に対してモバイルコンテンツ情報を送信して、ＡＶ装置側にてそのコンテンツを分離して音声信号とデータ信号とを取得する。このため、モバイルオーディオ装置においては、特別な制御などを行うことなく、コンテンツに関する情報をそのまま送信するだけで以降の処理はＡＶ装置側にて行われる。従って、実施形態１から７で説明した各種の効果を、汎用品のモバイルオーディオ装置によって実現することができるため、利便性の向上が期待できる。
【図面の簡単な説明】
【００７５】
【図１】実施形態１を説明するための概念図
【図２】実施形態１を説明するための機能ブロック図
【図３】実施形態１のＡＶ装置のハードウェア構成を示す図
【図４】実施形態１のモバイルオーディオ装置のハードウェア構成を示す図
【図５】実施形態１の処理の流れを説明する図
【図６】実施形態２を説明するための機能ブロック図
【図７】実施形態２のモバイルコンテンツ情報を説明する図
【図８】実施形態２のモバイルコンテンツ情報の分離例を説明する図
【図９】実施形態２の分離部のハードウェア構成を示す図
【図１０】実施形態２のモバイルオーディオ装置の処理の流れを説明する図
【図１１】実施形態３を説明するための概念図
【図１２】実施形態３を説明するための機能ブロック第一図
【図１３】実施形態３を説明するための機能ブロック第二図
【図１４】実施形態３のディスプレイ表示の一例を示す図
【図１５】実施形態３の処理の流れを説明する図
【図１６】実施形態４を説明するための概念図
【図１７】実施形態４を説明するための機能ブロック図
【図１８】実施形態４のディスプレイ表示の一例を示す図
【図１９】実施形態４の処理の流れを説明する図
【図２０】実施形態５を説明するための機能ブロック図
【図２１】実施形態５の処理の流れを説明する図
【図２２】実施形態６を説明するための機能ブロック図
【図２３】実施形態６の処理の流れを説明する図
【図２４】実施形態７を説明するための機能ブロック図
【図２５】実施形態７の処理の流れを説明する図
【図２６】実施形態８を説明するための機能ブロック図
【図２７】実施形態８の処理の流れを説明する図
【符号の説明】
【００７６】
０２００    モバイルオーディオシステム
０２１０    ＡＶ装置
０２１１    音声信号取得部
０２１２    データ信号取得部
０２２０    モバイルオーディオ装置
０２２１    音声信号出力部
０２２２    データ信号出力部
【図１】
2007158473.tif 000003
【図２】
2007158473.tif 000004
【図３】
2007158473.tif 000005
【図４】
2007158473.tif 000006
【図５】
2007158473.tif 000007
【図６】
2007158473.tif 000008
【図７】
2007158473.tif 000009
【図８】
2007158473.tif 000010
【図９】
2007158473.tif 000011
【図１０】
2007158473.tif 000012
【図１１】
2007158473.tif 000013
【図１２】
2007158473.tif 000014
【図１３】
2007158473.tif 000015
【図１４】
2007158473.tif 000016
【図１５】
2007158473.tif 000017
【図１６】
2007158473.tif 000018
【図１７】
2007158473.tif 000019
【図１８】
2007158473.tif 000020
【図１９】
2007158473.tif 000021
【図２０】
2007158473.tif 000022
【図２１】
2007158473.tif 000023
【図２２】
2007158473.tif 000024
【図２３】
2007158473.tif 000025
【図２４】
2007158473.tif 000026
【図２５】
2007158473.tif 000027
【図２６】
2007158473.tif 000028
【図２７】
2007158473.tif 000029